(57)【要約】【課題】床面等に吸込口を設けることなく、吹出口と吸込口とによるエアカーテンを形成することが可能なエアカーテン装置を提供する。【解決手段】このエアカーテン装置１００は、通行口１ａを有するとともに、間隔を隔てて上下方向に延びる一対の支柱部２と、一対の支柱部２の間を接続する上板部３とを含む、門型構造のゲート部１と、ゲート部１を下方から支持するベース部４と、ゲート部１を通過する方向の支柱部２の長さ以下の間隔を隔てて、上板部３に互いに隣接して設けられるとともに、ベース部４が載置される床面１０２に向かって吹き下ろされるエアカーテン気流Ｐを形成する第１吹出口５および第２吹出口６と、ゲート部１を通過する方向に間隔を隔ててベース部４に設けられるとともに、第１吹出口５および第２吹出口７の各々から吹き出されるエアカーテン気流Ｐを吸い込む吸込口７と、を備える。【選択図】図１
2017219282.tif 000002
【特許請求の範囲】
【請求項１】
通行口を有するとともに、間隔を隔てて上下方向に延びる一対の支柱部と、前記一対の支柱部の間を接続する上板部とを含む、門型構造のゲート部と、
前記ゲート部を下方から支持するベース部と、
前記ゲート部を通過する方向の前記支柱部の長さ以下の間隔を隔てて、前記上板部に互いに隣接して設けられるとともに、前記ベース部が載置される床面に向かって吹き下ろされるエアカーテン気流を形成する第１吹出口および第２吹出口と、
前記ゲート部を通過する方向に間隔を隔てて前記ベース部に設けられるとともに、前記第１吹出口および前記第２吹出口の各々から吹き出される前記エアカーテン気流を吸い込む吸込口と、を備える、エアカーテン装置。
【請求項２】
前記吸込口は、前記第１吹出口から吹き下ろされる第１エアカーテン気流を吸い込む第１吸込口と、前記第２吹出口から吹き下ろされる第２エアカーテン気流を吸い込む第２吸込口とを含む、請求項１に記載のエアカーテン装置。
【請求項３】
前記ゲート部を通過する方向において、前記第１吸込口と前記第２吸込口との間隔は、前記第１吹出口と前記第２吹出口との間隔よりも大きくなるように構成されており、
前記第１吹出口からの前記第１エアカーテン気流は、前記第１吸込口に向かって、前記第１吹出口に対して前記第２吹出口が設けられている側とは反対側に吹き下ろされるとともに、前記第２吹出口からの前記第２エアカーテン気流は、前記第２吸込口に向かって、前記第２吹出口に対して前記第１吹出口が設けられている側とは反対側に吹き下ろされるように構成されている、請求項２に記載のエアカーテン装置。
【請求項４】
前記ベース部は、前記床面と前記通行口とに亘って設けられる傾斜部を含み、
前記第１吸込口、および、前記第２吸込口の各々は、前記傾斜部に設けられている、請求項２または３に記載のエアカーテン装置。
【請求項５】
前記第１吹出口、および、前記第２吹出口の各々は、前記第１吸込口、または、前記第２吸込口の少なくともいずれか一方と連通するように構成されており、
前記第１吸込口から吸い込まれた前記第１エアカーテン気流、および、前記第２吸込口から吸い込まれた前記第２エアカーテン気流の各々は、前記ベース部の内部と前記ゲート部の内部とを介して、前記第１吹出口、または、前記第２吹出口のうちの少なくともいずれか一方に供給されるように構成されている、請求項２〜４のいずれか１項に記載のエアカーテン装置。
【請求項６】
前記ベース部は、前記床面上を移動可能に構成された移動部材を含み、
前記移動部材によって、前記ベース部と前記ゲート部とは一体となって前記床面上を移動するように構成されている、請求項１〜５のいずれか１項に記載のエアカーテン装置。
【請求項７】
前記ゲート部は、前記支柱部の高さ方向の長さを調節する高さ調節部を含む、請求項１〜６のいずれか１項に記載のエアカーテン装置。
【発明の詳細な説明】
【技術分野】
【０００１】
この発明は、エアカーテン装置に関し、特に、エアカーテン気流を吸い込む吸込口を備えるエアカーテン装置に関する。
【背景技術】
【０００２】
従来、エアカーテン気流を吸い込む吸込口を備えるエアカーテン装置が知られている（たとえば、特許文献１参照）。
【０００３】
上記特許文献１に記載のエアカーテン装置は、天井側に吹出口が設けられるとともに、床面側の階段の立ち上がり部に吸込口が設けられている。そして、吹出口から吸込口に向かって空気が吹き出されることによって、吹出口と吸込口との間にエアカーテンが形成されるように構成されている。
【先行技術文献】
【特許文献】
【０００４】
【特許文献１】特開昭６２−３３２３５号公報
【発明の概要】
【発明が解決しようとする課題】
【０００５】
しかしながら、上記特許文献１に記載のエアカーテン装置では、吸込口を設けるために、床（階段）を掘削するとともに、床（階段）の内部に送風ダクトを設ける必要があり、大規模な工事等が必要となるという問題点がある。
【０００６】
この発明は、上記のような課題を解決するためになされたものであり、この発明の１つの目的は、床面等に吸込口を設けることなく、吹出口と吸込口とによるエアカーテンを形成することが可能なエアカーテン装置を提供することである。
【課題を解決するための手段】
【０００７】
この発明の一の局面によるエアカーテン装置は、通行口を有するとともに、間隔を隔てて上下方向に延びる一対の支柱部と、一対の支柱部の間を接続する上板部とを含む、門型構造のゲート部と、ゲート部を下方から支持するベース部と、ゲート部を通過する方向の支柱部の長さ以下の間隔を隔てて、上板部に互いに隣接して設けられるとともに、ベース部が載置される床面に向かって吹き下ろされるエアカーテン気流を形成する第１吹出口および第２吹出口と、ゲート部を通過する方向に間隔を隔ててベース部に設けられるとともに、第１吹出口および第２吹出口の各々から吹き出されるエアカーテン気流を吸い込む吸込口と、を備える。
【０００８】
この発明の一の局面によるエアカーテン装置では、上記のように、ゲート部を下方から支持するベース部に吸込口が設けられることによって、吸込口を床面等に設置するとともに、床面等の内部に送風用のダクト等を設ける必要がない。また、第１吹出口と第２吹出口とが、ゲート部を通過する方向の支柱部の長さ以下の間隔を隔てて互いに隣接するように設けられることによって、２つのエアカーテン気流が隣接して吹き下ろされる。これらの結果、ベース部に吸込口が設けられることによって、大規模な工事等により吸込口を床面等に設置することなく、エアカーテンを容易に形成することができる。また、２つのエアカーテン気流が隣接して吹き下ろされることによって、１つのエアカーテン気流が吹き下ろされる場合に比べて、エアカーテンによる熱遮断性能を向上させることができる。
【０００９】
上記一の局面によるエアカーテン装置において、好ましくは、吸込口は、第１吹出口から吹き下ろされる第１エアカーテン気流を吸い込む第１吸込口と、第２吹出口から吹き下ろされる第２エアカーテン気流を吸い込む第２吸込口とを含む。このように構成すれば、第１エアカーテン気流と第２エアカーテン気流とが単一の吸込口だけにより吸い込まれる場合に比べて、第１エアカーテン気流および第２エアカーテン気流を互いに独立して形成することができる。その結果、単一の吸込口だけが設けられている場合に比べて、エアカーテンによる熱遮断性能を向上させることができるとともに、冷蔵室等の消費電力を低減させることができる。
【００１０】
この場合、好ましくは、ゲート部を通過する方向において、第１吸込口と第２吸込口との間隔は、第１吹出口と第２吹出口との間隔よりも大きくなるように構成されており、第１吹出口からの第１エアカーテン気流は、第１吸込口に向かって、第１吹出口に対して第２吹出口が設けられている側とは反対側に吹き下ろされるとともに、第２吹出口からの第２エアカーテン気流は、第２吸込口に向かって、第２吹出口に対して第１吹出口が設けられている側とは反対側に吹き下ろされるように構成されている。このように構成すれば、第１エアカーテン気流が第１吸込口に向かって吹き出されることによって、第１エアカーテン気流を容易に形成することができるとともに、第２エアカーテン気流が第２吸込口に向かって吹き出されることによって、第２エアカーテン気流を容易に形成することができる。また、第１エアカーテン気流が、第１吹出口に対して第２吹出口が設けられている側とは反対側に吹き下ろされるとともに、第２エアカーテン気流が、第２吹出口に対して第１吹出口が設けられている側とは反対側に吹き下ろされることによって、第１エアカーテン気流と第２エアカーテン気流との干渉（衝突）を抑制することができる。その結果、第１エアカーテン気流および第２エアカーテン気流の乱れを抑制することができるので、エアカーテンによる熱遮断性能の低下を抑制することができる。
【００１１】
上記第１吸込口と第２吸込口とを備えるエアカーテン装置において、好ましくは、ベース部は、床面と通行口とに亘って設けられる傾斜部を含み、第１吸込口、および、第２吸込口の各々は、傾斜部に設けられている。このように構成すれば、床面と通行口とに亘って傾斜部が設けられることによって、床面と通行口との間に段差がなくなるので、ユーザが通行口を容易に通行することができる。また、第１吸込口、および、第２吸込口の各々が、通行用の傾斜部に設けられていることによって、装置の大型化を抑制することができる。
【００１２】
上記第１吸込口と第２吸込口とを備えるエアカーテン装置において、好ましくは、第１吹出口、および、第２吹出口の各々は、第１吸込口、または、第２吸込口の少なくともいずれか一方と連通するように構成されており、第１吸込口から吸い込まれた第１エアカーテン気流、および、第２吸込口から吸い込まれた第２エアカーテン気流の各々は、ベース部の内部とゲート部の内部とを介して、第１吹出口、または、第２吹出口のうちの少なくともいずれか一方に供給されるように構成されている。このように構成すれば、第１吸込口に吸い込まれた第１エアカーテン気流、および、第２吸込口に吸い込まれた第２エアカーテン気流の各々が、外部に漏れることなく、第１吹出口、または、第２吹出口に循環されるので、循環効率を向上させることができる。
【００１３】
上記一の局面によるエアカーテン装置において、好ましくは、ベース部は、床面上を移動可能に構成された移動部材を含み、移動部材によって、ベース部とゲート部とは一体となって床面上を移動するように構成されている。このように構成すれば、エアカーテン装置が設けられる冷蔵室等において、エアカーテン装置を容易に移動させることができる。その結果、冷蔵室等において、エアカーテンによって分断する領域を容易に変更することができる。
【００１４】
上記一の局面によるエアカーテン装置において、好ましくは、ゲート部は、支柱部の高さ方向の長さを調節する高さ調節部を含む。このように構成すれば、エアカーテン装置の高さ方向の大きさを調節することができるので、冷蔵室等の高さに応じてエアカーテン装置の高さを調節することができる。その結果、エアカーテンによって分断される領域間の、熱の移動、または、粉塵等の移動を、より効果的に抑制することができる。
【発明の効果】
【００１５】
本発明によれば、上記のように、床面等に吸込口を設けることなく、吹出口と吸込口とによるエアカーテンを形成することが可能なエアカーテン装置を提供することができる。
【図面の簡単な説明】
【００１６】
【図１】本発明の第１実施形態によるエアカーテン装置の構成を示した斜視図である。
【図２】図１の２００−２００線に沿った断面図である。
【図３】本発明の第２実施形態による固定時のエアカーテン装置の構成を示した斜視図である。
【図４】本発明の第２実施形態による移動時のエアカーテン装置の構成を示した斜視図である。
【図５】本発明の第２実施形態の変形例による固定時のエアカーテン装置の構成を示した斜視図である。
【図６】本発明の第２実施形態の変形例による移動時のエアカーテン装置の構成を示した斜視図である。
【図７】本発明の第１実施形態の変形例によるエアカーテン装置の構成を示した側面図である。
【図８】本発明の第１実施形態の変形例による傾斜部に排出口を設けたエアカーテン装置の構成を示した斜視図である。
【図９】本発明の第１実施形態の変形例による傾斜部以外に排出口を設けたエアカーテン装置の構成を示した斜視図である。
【図１０】本発明の第２実施形態の変形例によるエアカーテン装置に遮風部が設けられた構成を示した斜視図である。
【発明を実施するための形態】
【００１７】
以下、本発明を具体化した実施形態を図面に基づいて説明する。
【００１８】
［第１実施形態］
まず、図１および図２を参照して、第１実施形態によるエアカーテン装置１００の構成について説明する。
【００１９】
（エアカーテン装置の構造）
図１に示すように、エアカーテン装置１００は、門型構造のゲート部１を備えている。また、ゲート部１は、通行口１ａを有する。ユーザ（図示せず）は通行口１ａを通り、エアカーテン装置１００によって分断される２つの領域間を移動することが可能である。具体的には、図２に示すように、ユーザは通行口１ａを通って、冷蔵室１０１の、領域１０１ａと領域１０１ｂとの間を移動することが可能である。
【００２０】
図１に示すように、ゲート部１は、間隔を隔てて上下方向（Ｚ方向）に延びる一対の支柱部２を含む。具体的には、一対の支柱部２は、Ｙ１方向側の支柱２０と、Ｙ２方向側の支柱２１とを有する。また、支柱２０の高さ方向（Ｚ方向）の長さと、支柱２１の高さ方向（Ｚ方向）の長さとは略等しい。
【００２１】
また、ゲート部１は、一対の支柱部２の間を接続する上板部３を含む。具体的には、支柱２０のＺ１方向側の端部と、支柱２１のＺ１方向側の端部とが、上板部３によって接続されている。
【００２２】
また、エアカーテン装置１００は、ゲート部１を下方から支持するベース部４を備えている。具体的には、ゲート部１は、ベース部４の上面４ａ（Ｚ１方向側の面）に設けられている。また、ゲート部１とベース部４とは、図示しないネジ等の部材によって固定されている。また、ベース部４は、台形形状の断面がＹ方向に延びる台形柱形状を有している。また、Ｙ方向の位置によってベース部４の高さ（Ｚ方向）は変化せず一定である。すなわち、エアカーテン装置１００が載置されている床面１０２（図２参照）に対して、上面４ａは略平行かつ水平に延びている。
【００２３】
また、図２に示すように、エアカーテン装置１００は、ゲート部１を通過する方向の支柱部２の長さ以下の間隔を隔てて、上板部３に互いに隣接して設けられる、第１吹出口５および第２吹出口６を備える。具体的には、Ｘ方向において、第１吹出口５と第２吹出口６との間の距離（間隔）Ｄ１は、支柱２０（支柱２１（図１参照））の支柱上側部２０ａ（支柱上側部２１ａ（図１参照））の幅Ｗ１よりも小さい。なお、支柱上側部２０ａ（支柱上側部２１ａ）の幅Ｗ１は、Ｘ方向における支柱下側部２０ｂ（支柱下側部２１ｂ（図１参照））の幅Ｗ２に比べて小さい。なお、第１吹出口５は、Ｘ１方向側に設けられているとともに、第２吹出口６は、Ｘ２方向側に設けられている。
【００２４】
また、第１吹出口５および第２吹出口６の各々は、床面１０２に向かってエアカーテン気流Ｐを形成する。具体的には、第１吹出口５は、第１エアカーテン気流Ｐ１を形成する。また、第２吹出口６は、第２エアカーテン気流Ｐ２を形成する。
【００２５】
ここで、第１実施形態では、エアカーテン装置１００は、ゲート部１を通過する方向に間隔を隔ててベース部４に設けられるとともに、第１吹出口５および第２吹出口６の各々から吹き出されるエアカーテン気流Ｐを吸い込む吸込口７を備える。具体的には、吸込口７は、第１吹出口５から吹き下ろされる第１エアカーテン気流Ｐ１を吸い込む第１吸込口７０を含む。また、吸込口７は、第２吹出口６から吹き下ろされる第２エアカーテン気流Ｐ２を吸い込む第２吸込口７１を含む。
【００２６】
また、第１実施形態では、ゲート部１を通過する方向において、第１吸込口７０と第２吸込口７１との間隔は、第１吹出口５と第２吹出口６との間隔よりも大きくなるように構成されている。具体的には、第１吸込口７０と第２吸込口７１とは、Ｘ方向において、距離（間隔）Ｄ１よりも大きい距離（間隔）Ｄ２だけ離間するように設けられている。また、距離Ｄ２は、支柱下側部２０ｂ（支柱下側部２１ｂ（図１参照））のＸ方向における幅Ｗ２よりも大きい。
【００２７】
また、第１吹出口５からの第１エアカーテン気流Ｐ１は、第１吸込口７０に向かって、第１吹出口５に対して第２吹出口６が設けられている側とは反対側に吹き下ろされる。また、第２吹出口６からの第２エアカーテン気流Ｐ２は、第２吸込口７１に向かって、第２吹出口６に対して第１吹出口５が設けられている側とは反対側に吹き下ろされるように構成されている。具体的には、第１エアカーテン気流Ｐ１は、Ｚ２方向側に吹き下ろされるとともに、第１吹出口５よりもＸ１方向側に配置される第１吸込口７０に向かって吹き出される。また、第２エアカーテン気流Ｐ２は、Ｚ２方向側に吹き下ろされるとともに、第２吹出口６よりもＸ２方向側に配置される第２吸込口７１に向かって吹き出される。
【００２８】
また、第１実施形態では、ベース部４は、床面１０２と通行口１ａ（図１参照）とに亘って設けられる傾斜部８を含む。具体的には、傾斜部８は、床面１０２とベース部４の上面４ａ（図１参照）とを接続するように設けられている。また、Ｘ１方向側に設けられる傾斜部８と床面１０２とのなす角度と、Ｘ２方向側に設けられる傾斜部８と床面１０２とのなす角度は略等しい。
【００２９】
また、第１吸込口７０および第２吸込口７１の各々は、傾斜部８に設けられている。具体的には、第１吸込口７０は、Ｘ１方向側の傾斜部８に設けられている。また、第２吸込口７１は、Ｘ２方向側の傾斜部８に設けられている。
【００３０】
また、第１実施形態では、第１吹出口５、および、第２吹出口６の各々は、第１吸込口７０と第２吸込口７１の両方と連通するように構成されている。また、第１吸込口７０から吸い込まれた第１エアカーテン気流Ｐ１、および、第２吸込口７１から吸い込まれた第２エアカーテン気流Ｐ２の各々は、ベース部４の内部とゲート部１の内部とを介して、第１吹出口５と第２吹出口６との両方に供給されるように構成されている。具体的には、ベース部４、支柱下側部２０ｂ（支柱下側部２１ｂ（図１参照））、支柱上側部２０ａ（支柱上側部２１ａ（図１参照））、および、上板部３の各々の内部は空洞になっているので、空気（気流）が流通可能に構成されている。
【００３１】
また、第１吸込口７０に吸い込まれた第１エアカーテン気流Ｐ１、および、第２吸込口７１に吸い込まれた第２エアカーテン気流Ｐ２の各々は、傾斜部８によってガイドされることによってＹ１方向またはＹ２方向に拡散するとともに、ゲート部１の内部に導かれる。
【００３２】
また、図１に示すように、支柱下側部２０ｂ、および、支柱下側部２１ｂの各々の内部には送風機９が設けられている。送風機９（破線で示す）によって、第１吸込口７０および第２吸込口７１（図２参照）から吸い込まれた空気（第１エアカーテン気流Ｐ１および第２エアカーテン気流Ｐ２）が、エアカーテン装置１００の内部を循環する。
【００３３】
また、第１実施形態では、ゲート部１は、支柱部２の高さ方向の長さを調節する高さ調節部１０を含む。具体的には、支柱上側部２０ａ（支柱上側部２１ａ）は、支柱下側部２０ｂ（支柱下側部２１ｂ）に嵌合するように構成されており、高さ調節部１０によって、支柱下側部２０ｂ（支柱下側部２１ｂ）から露出する支柱上側部２０ａ（支柱上側部２１ａ）の長さを調節することができる。たとえば、高さ調節部１０は、ネジ機構を含む。すなわち、ネジを緩めることによって、支柱上側部２０ａ（支柱上側部２１ａ）は高さ方向（Ｚ方向）に移動可能となる。また、ネジを締めることによって、支柱上側部２０ａ（支柱上側部２１ａ）は固定される。なお、図２では、都合上、高さ調節部１０の図示は、省略している。
【００３４】
（第１実施形態の効果）
第１実施形態では、以下のような効果を得ることができる。
【００３５】
第１実施形態では、上記のように、通行口１ａを有するとともに、間隔を隔てて上下方向に延びる一対の支柱部２と、一対の支柱部２の間を接続する上板部３とを含む、門型構造のゲート部１と、ゲート部１を下方から支持するベース部４と、ゲート部１を通過する方向の支柱部２の長さ以下の間隔を隔てて、上板部３に互いに隣接して設けられるとともに、ベース部４が載置される床面１０２に向かって吹き下ろされるエアカーテン気流Ｐを形成する第１吹出口５および第２吹出口６と、ゲート部１を通過する方向に間隔を隔ててベース部４に設けられるとともに、第１吹出口５および第２吹出口６の各々から吹き出されるエアカーテン気流Ｐを吸い込む吸込口７と、を備えるように、エアカーテン装置１００を構成する。これにより、ゲート部１を下方から支持するベース部４に吸込口７が設けられることによって、吸込口７を床面１０２等に設置するとともに、床面１０２等の内部に送風用のダクト等を設ける必要がない。また、第１吹出口５と第２吹出口６とが、ゲート部１を通過する方向の支柱部２の長さ以下の間隔を隔てて互いに隣接するように設けられることによって、２つのエアカーテン気流Ｐが隣接して吹き下ろされる。これらの結果、ベース部４に吸込口７が設けられることによって、大規模な工事等により吸込口７を床面１０２等に設置することなく、エアカーテンを容易に形成することができる。また、２つのエアカーテン気流Ｐが隣接して吹き下ろされることによって、１つのエアカーテン気流Ｐが吹き下ろされる場合に比べて、エアカーテンによる熱遮断性能を向上させることができる。
【００３６】
また、第１実施形態では、上記のように、吸込口７が、第１吹出口５から吹き下ろされる第１エアカーテン気流Ｐ１を吸い込む第１吸込口７０と、第２吹出口６から吹き下ろされる第２エアカーテン気流Ｐ２を吸い込む第２吸込口７１とを含むように、エアカーテン装置１００を構成する。これにより、第１エアカーテン気流Ｐ１と第２エアカーテン気流Ｐ２とが単一の吸込口７だけにより吸い込まれる場合に比べて、第１エアカーテン気流Ｐ１および第２エアカーテン気流Ｐ２を互いに独立して形成することができる。その結果、単一の吸込口７だけが設けられている場合に比べて、エアカーテンによる熱遮断性能を向上させることができるとともに、冷蔵室１０１等の消費電力を低減させることができる。
【００３７】
また、第１実施形態では、上記のように、ゲート部１を通過する方向において、第１吸込口７０と第２吸込口７１との間隔が、第１吹出口５と第２吹出口６との間隔よりも大きくなるように構成されており、第１吹出口５からの第１エアカーテン気流Ｐ１が、第１吸込口７０に向かって、第１吹出口５に対して第２吹出口６が設けられている側とは反対側に吹き下ろされるとともに、第２吹出口６からの第２エアカーテン気流Ｐ２が、第２吸込口７１に向かって、第２吹出口６に対して第１吹出口５が設けられている側とは反対側に吹き下ろされるように、エアカーテン装置１００を構成する。これにより、第１エアカーテン気流Ｐ１が第１吸込口７０に向かって吹き出されることによって、第１エアカーテン気流Ｐ１を容易に形成することができるとともに、第２エアカーテン気流Ｐ２が第２吸込口７１に向かって吹き出されることによって、第２エアカーテン気流Ｐ２を容易に形成することができる。また、第１エアカーテン気流Ｐ１が、第１吹出口５に対して第２吹出口６が設けられている側とは反対側に吹き下ろされるとともに、第２エアカーテン気流Ｐ２が、第２吹出口６に対して第１吹出口５が設けられている側とは反対側に吹き下ろされることによって、第１エアカーテン気流Ｐ１と第２エアカーテン気流Ｐ２との干渉（衝突）を抑制することができる。その結果、第１エアカーテン気流Ｐ１および第２エアカーテン気流Ｐ２の乱れを抑制することができるので、エアカーテンによる熱遮断性能の低下を抑制することができる。
【００３８】
また、第１実施形態では、上記のように、ベース部４が、床面１０２と通行口１ａとに亘って設けられる傾斜部８を含み、第１吸込口７０、および、第２吸込口７１の各々が、傾斜部８に設けられるように、エアカーテン装置１００を構成する。これにより、床面１０２と通行口１ａとに亘って傾斜部８が設けられることによって、床面１０２と通行口１ａとの間に段差がなくなるので、ユーザが通行口１ａを容易に通行することができる。また、第１吸込口７０、および、第２吸込口７１の各々が、通行用の傾斜部８に設けられていることによって、装置の大型化を抑制することができる。
【００３９】
また、第１実施形態では、上記のように、第１吹出口５、および、第２吹出口６の各々が、第１吸込口７０、または、第２吸込口７１の少なくともいずれか一方と連通するように構成されており、第１吸込口７０から吸い込まれた第１エアカーテン気流Ｐ１、および、第２吸込口７１から吸い込まれた第２エアカーテン気流Ｐ２の各々が、ベース部４の内部とゲート部１の内部とを介して、第１吹出口５、または、第２吹出口６のうちの少なくともいずれか一方に供給されるように、エアカーテン装置１００を構成する。これにより、第１吸込口７０に吸い込まれた第１エアカーテン気流Ｐ１、および、第２吸込口７１に吸い込まれた第２エアカーテン気流Ｐ２の各々が、外部に漏れることなく、第１吹出口５、または、第２吹出口６に循環されるので、循環効率を向上させることができる。
【００４０】
また、第１実施形態では、上記のように、ゲート部１が、支柱部２の高さ方向の長さを調節する高さ調節部１０を含むように、エアカーテン装置１００を構成する。これにより、エアカーテン装置１００の高さ方向の大きさを調節することができるので、冷蔵室１０１等の高さに応じてエアカーテン装置１００の高さを調節することができる。その結果、エアカーテンによって分断される領域間の、熱の移動、または、粉塵等の移動を、より効果的に抑制することができる。
【００４１】
［第２実施形態］
次に、図１〜図４を参照して、第２実施形態によるエアカーテン装置３００の構成について説明する。この第２実施形態におけるエアカーテン装置３００は、第１実施形態の構成に加えて、移動可能に構成されている。なお、図中において上記第１実施形態と同様の構成の部分には、同一の符号を付している。
【００４２】
（エアカーテン装置の構造）
第２実施形態では、図３に示すように、ベース部４０は、床面１０２（図２参照）上を移動可能に構成された車輪１１を含み、車輪１１によって、ベース部４０とゲート部１とは一体となって床面１０２上を移動するように構成されている。具体的には、ベース部４０には、Ｙ１方向、および、Ｙ２方向の各々の端部において、Ｘ１方向、および、Ｘ２方向の各々に突出する突出部１２が設けられている。すなわち、ベース部４０には、４つの突出部１２が設けられている。車輪１１は、４つの突出部１２の各々の下部に設けられている。なお、車輪１１は、特許請求の範囲の「移動部材」の一例である。
【００４３】
図４に示すように、傾斜部１８は、可動構造を有している。具体的には、Ｙ方向から見て、傾斜部１８は、傾斜部１８とベース部４０の上面４ａ（図１参照）との接続箇所を回動中心として、上下方向（Ｚ１方向またはＺ２方向）に回動可能に構成されている。
【００４４】
図３に示すように、エアカーテン装置３００が床面１０２（図２参照）に対して固定される際は、傾斜部１８の一方端１８ａ（上面４ａ（図１参照）から離間する側の一方端１８ａ）は床面１０２に当接する。傾斜部１８と床面１０２とが当接することによって、エアカーテン装置３００の転倒が抑制される。また、図４に示すように、エアカーテン装置３００が移動する際は、傾斜部１８は、床面１０２に対して略水平になるように固定される。これにより、傾斜部１８の一方端１８ａと床面１０２とが当接しないので、エアカーテン装置３００をスムーズに移動させることができる。また、傾斜部１８は、上面４ａと面一になるように固定される。また、傾斜部１８は２つの突出部１２（Ｘ１方向側の２つの突出部１２、Ｘ２方向側の２つの突出部１２）の間に挟まれる位置に固定される。
【００４５】
また、傾斜部１８は、突出部１２に設けられるストッパー１３により固定される。具体的には、傾斜部１８は、４つの突出部１２の各々に設けられるストッパー１３によって固定される。また、各ストッパー１３は、傾斜部１８の、ベース部４０の上面４ａ（図１参照）から離間する側の隅部近傍を下方から支持するように配置されている。
【００４６】
また、各突出部１２には、ストッパー１３の状態を制御するストッパー制御部１４が設けられている。各ストッパー制御部１４は、突出部１２のＺ１方向側に設けられている。また、各ストッパー制御部１４は、傾斜部１８側（たとえば、Ｘ１方向側の突出部１２に設けられているストッパー制御部１４の場合、Ｘ１方向側の傾斜部１８側）、または、傾斜部１８側とは反対側に移動可能に構成されている。
【００４７】
ストッパー１３は、ストッパー制御部１４を傾斜部１８側に移動させることによって、突出部１２から露出（突出）する。また、図３に示すように、ストッパー１３は、ストッパー制御部１４を傾斜部１８側とは反対側に移動させることによって、突出部１２の内部に収納される。ストッパー１３が突出部１２から露出（突出）している場合、傾斜部１８を回動させると、ストッパー１３と傾斜部１８とは干渉する。すなわち、傾斜部１８をストッパー１３の上部に載置することが可能である。また、ストッパー１３が突出部１２に収納されている場合、ストッパー１３と傾斜部１８とは干渉しないので、傾斜部１８を回動させることが可能である。
【００４８】
第２実施形態のその他の構成は、上記第１実施形態と同様である。
【００４９】
（第２実施形態の効果）
第２実施形態では、上記のように、ベース部４０が、床面１０２上を移動可能に構成された車輪１１を含み、車輪１１によって、ベース部４０とゲート部１とは一体となって床面１０２上を移動するように、エアカーテン装置３００を構成する。これにより、エアカーテン装置３００が設けられる冷蔵室１０１等において、エアカーテン装置３００を容易に移動させることができる。その結果、冷蔵室１０１等において、エアカーテンによって分断する領域を容易に変更することができる。
【００５０】
なお、第２実施形態のその他の効果は、上記第１実施形態と同様である。
【００５１】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５２】
たとえば、上記第２実施形態では、突出部１２にストッパー１３が設けられる構成の例を示したが、本発明はこれに限られない。たとえば、図５に示すように、突出部１２に油圧リフトハンドル１５が設けられる構成であってもよい。具体的には、エアカーテン装置３００が、床面１０２（図２参照）に固定されている場合は、車輪１１（図６参照）がベース部４０（突出部１２）によって外部に露出されていない。また、この場合、傾斜部１８は、床面１０２に接触している。また、図６に示すように、油圧リフトハンドル１５を操作することによって、エアカーテン装置３００の車輪１１以外の部材が上方（Ｚ１方向側）に持ち上げられるので、車輪１１がベース部４０（突出部１２）の下部から露出する。さらに、傾斜部１８が床面１０２と非接触状態になるので、エアカーテン装置３００は移動可能となる。
【００５３】
また、上記第１および第２実施形態では、第１吹出口５および第２吹出口６の各々が、第１吸込口７０と第２吸込口７１の両方と連通する構成される例を示したが、本発明はこれに限られない。たとえば、第１吹出口５は第１吸込口７０のみと連通するとともに、第２吹出口６は第２吸込口７１のみと連通する構成であってもよい。
【００５４】
具体的には、図７に示すように、第１吸込口７０によって吸い込まれた第１エアカーテン気流Ｐ１と、第２吸込口７１によって吸い込まれた第２エアカーテン気流Ｐ２とが交わらないように、ベース部４、および、ゲート部１の各々の内部が仕切り板２２によって仕切られている。この場合、第１吸込口７０と第１吹出口５とを連通する気流の流通経路、および、第２吸込口７１と第２吹出口６とを連通する気流の流通経路の各々に、送風機９が設けられている。なお、図７は、第１実施形態の変形例を説明するための図である。第２実施形態において同様に構成した変形例については、図示および説明を省略する。また、図７では、高さ調節部１０の図示を省略している。また、第１吹出口５は第２吸込口７１のみと連通するとともに、第２吹出口６は第１吸込口７０のみと連通する構成であってもよい。
【００５５】
また、上記第１および第２実施形態では、エアカーテン気流Ｐを、一対の支柱部２を介して循環させる構成の例を示したが、本発明はこれに限られない。たとえば、エアカーテン気流Ｐを一対の支柱部２を介して循環させずに、外部に排出する構成であってもよい。
【００５６】
具体的には、図８に示すように、第１吸込口７０および第２吸込口７１は、ベース部４の上面４ａに設けられている。また、Ｘ１方向側の傾斜部８、および、Ｘ２方向側の傾斜部８の各々に、排出口１６が設けられている。そして、第１吸込口７０、および、第２吸込口７１の各々に吸い込まれた、第１エアカーテン気流Ｐ１、および、第２エアカーテン気流Ｐ２は、各排出口１６から排出される。この場合、一対の支柱部２（支柱２０、および、支柱２１）は、内部に空洞が設けられていない角柱形状を有していてもよい。また、図示しないが、送風機９は、第１吸込口７０と排出口１６（Ｘ１方向側の排出口１６）との間、および、第２吸込口７１と排出口１６（Ｘ２方向側の排出口１６）との間にそれぞれ設けられている。送風機９によって、第１吸込口７０に吸い込まれた第１エアカーテン気流Ｐ１、および、第２吸込口７１に吸い込まれた第２エアカーテン気流Ｐ２の各々は、排出口１６から外部へ排出される。なお、第１吸込口７０、および、第２吸込口７１の各々の近傍に、粉塵の除去を行うフィルター（図示せず）等が設けられていてもよい。なお、図８は、第１実施形態の変形例を説明するための図である。第２実施形態において同様に構成した変形例については、図示および説明を省略する。また、図８では、高さ調節部１０の図示を省略している。
【００５７】
また、図９に示すように、排出口１６を、ベース部４の上面４ａの、第１吸込口７０と第２吸込口７１との間に設ける構成であってもよい。この場合、排出口１６からの気流は、Ｚ１方向側へ排出され、第１吹出口５、および、第２吹出口６（図７等参照）に供給される。なお、図９は、第１実施形態の変形例を説明するための図である。第２実施形態において同様に構成した変形例については、図示および説明を省略する。また、図９では、高さ調節部１０の図示を省略している。
【００５８】
また、第２実施形態では、図３または図４に示すように、ベース部４０には、第１吸込口７０に吸い込まれた第１エアカーテン気流Ｐ１、および、第２吸込口７１に吸い込まれた第２エアカーテン気流Ｐ２を傾斜部１８のみによりガイドする構成の例を示したが、本発明はこれに限られない。たとえば、図１０に示すように、ベース部４０のＹ方向の両端に遮風部４１を設けることによって、傾斜部１８に加えて遮風部４１により、気流がゲート部１に導かれることをガイドする構成であってもよい。また、遮風部４１は、傾斜部１８と同様、回動可能であるとともに、ストッパー等によって固定可能に構成されていてもよい。
【００５９】
また、第１および第２実施形態では、高さ調節部１０がネジ機構を含む例を示したが、本発明はこれに限られない。たとえば、高さ調節部１０が、流体シリンダ、または、ベローズを含んでいてもよい。
【００６０】
また、第１および第２実施形態では、第１吸込口７０および第２吸込口７１が、傾斜部８（１８）に設けられる構成の例を示したが、本発明はこれに限られない。たとえば、第１吸込口７０および第２吸込口７１が、ベース部４（４０）の上面４ａに設けられていてもよい。
【００６１】
また、第１および第２実施形態では、送風機９が、支柱下側部２０ｂ（支柱下側部２１ｂ）の内部に設けられる構成の例を示したが、本発明はこれに限られない。たとえば、送風機９が、上板部３の内部に設けられる構成であってもよい。この場合、Ｙ１方向側、および、Ｙ２方向側の各々に、複数の送風機９を設けてもよい。
【００６２】
また、第１および第２実施形態では、２つの吸込口７（第１吸込口７０、第２吸込口７１）が設けられる構成の例を示したが、本発明はこれに限られない。たとえば、１つの吸込口７のみが、傾斜部８（１８）、または、上面４ａに設けられる構成であってもよい。
【００６３】
また、第２実施形態では、エアカーテン装置３００が移動する際、傾斜部１８と上面４ａとが面一になる構成の例を示したが、本発明はこれに限られない。たとえば、傾斜部１８と上面４ａとの間に所定の大きさの段差があってもよい。
【符号の説明】
【００６４】
１  ゲート部
１ａ  通行口
２  支柱部（一対の支柱部）
３  上板部
４、４０  ベース部
５  第１吹出口
６  第２吹出口
７  吸込口
７０  第１吸込口
７１  第２吸込口
８、１８  傾斜部
１０  高さ調節部
１１  車輪（移動部材）
１０２  床面
Ｐ  エアカーテン気流
Ｐ１  第１エアカーテン気流
Ｐ２  第２エアカーテン気流
【図１】
2017219282.tif 000003
【図２】
2017219282.tif 000004
【図３】
2017219282.tif 000005
【図４】
2017219282.tif 000006
【図５】
2017219282.tif 000007
【図６】
2017219282.tif 000008
【図７】
2017219282.tif 000009
【図８】
2017219282.tif 000010
【図９】
2017219282.tif 000011
【図１０】
2017219282.tif 000012